(57)【要約】【課題】  本発明は、浸透フィルターに目詰まりが生じ難く浸透能力を長期的に維持することが出来る浸透フィルター構造を提供することを可能にすることを目的としている。【解決手段】  雨水を貯留し地盤２に浸透させる雨水貯留浸透施設の浸透フィルター構造であって、雨水が貯留される雨水貯留浸透施設の底版５に貫通された貫通穴５ａに嵌挿される第１の直管６ａと、軸方向の中間部で該第１の直管６ａに連通され、該第１の直管６ａの軸方向に対してその軸方向が交差して配置される第２の直管６ｂと、該第２の直管６ｂの両端部に設けられた浸透フィルター７とを有する構成であることを特徴とする。【選択図】      図１
2011012432.tif 000002
【特許請求の範囲】
【請求項１】
雨水を貯留し地盤に浸透させる雨水貯留浸透施設の浸透フィルター構造であって、
雨水が貯留される前記雨水貯留浸透施設の底版または側壁のうちの少なくとも１つに貫通された貫通穴に嵌挿される第１の直管と、
軸方向の中間部で前記第１の直管に連通され、該第１の直管の軸方向に対してその軸方向が交差して配置される第２の直管と、
前記第２の直管の両端部に設けられた浸透フィルターと、
を有することを特徴とする浸透フィルター構造。
【請求項２】
前記第１の直管が前記雨水貯留浸透施設の底版に貫通された貫通穴に嵌挿された場合には、前記浸透フィルターの外側面を前記雨水貯留浸透施設内を流れる雨水の流れ方向と平行に配置したことを特徴とする請求項１に記載の浸透フィルター構造。
【請求項３】
前記第１の直管が前記雨水貯留浸透施設の側壁に貫通された貫通穴に嵌挿された場合には、前記浸透フィルターの外側面を略水平に配置したことを特徴とする請求項１に記載の浸透フィルター構造。
【発明の詳細な説明】
【技術分野】
【０００１】
本発明は、雨水を貯留し地盤に浸透させる浸透マンホール、浸透ボックスカルバート、浸透枡、浸透トレンチ管等の雨水貯留浸透施設の浸透フィルター構造に関するものである。
【背景技術】
【０００２】
従来、浸透マンホール等では底版や側壁に設けられた地盤に雨水を浸透させるための貫通穴内にマットエレメントからなる浸透フィルターを取り付け、その浸透フィルターで雨水排水中に含まれるゴミや土砂等の固形物を除去して周辺地盤に雨水を浸透させるのが一般である。
【０００３】
一方、排水管の一部をＴ字状管で構成したものが、特許文献１、２に示されている。
【先行技術文献】
【特許文献】
【０００４】
【特許文献１】特開平０６−１２６２９０号公報
【特許文献２】特開平０８−０１３５６２号公報
【発明の概要】
【発明が解決しようとする課題】
【０００５】
しかしながら、前述の従来例では、雨水排水中の固形物の中で比重の重いものは沈降し、底版上に堆積する。底版用浸透フィルターの上面にも固形物が堆積して細かい土砂により該底版用浸透フィルターに目詰まりが生じると浸透能力が低下するため該底版用浸透フィルターを定期的に交換する必要がある。
【０００６】
また、雨水排水はその流れにより底版や側壁の貫通穴内に設けられた浸透フィルター面に向かって直角に流出しようとし、その雨水の流速によってゴミや土砂等も同じ方向に引っ張られやすく浸透フィルターが目詰まりし易いといった問題があった。また、上記特許文献１、２にはＴ字状管をフィルターとして使用することは記載されていない。
【０００７】
本発明は前記課題を解決するものであり、その目的とするところは、浸透フィルターに目詰まりが生じ難く浸透能力を長期的に維持することが出来る浸透フィルター構造を提供せんとするものである。
【課題を解決するための手段】
【０００８】
前記目的を達成するための本発明に係る浸透フィルター構造の第１の構成は、雨水を貯留し地盤に浸透させる雨水貯留浸透施設の浸透フィルター構造であって、雨水が貯留される前記雨水貯留浸透施設の底版または側壁のうちの少なくとも１つに貫通された貫通穴に嵌挿される第１の直管と、軸方向の中間部で前記第１の直管に連通され、該第１の直管の軸方向に対してその軸方向が交差して配置される第２の直管と、前記第２の直管の両端部に設けられた浸透フィルターとを有することを特徴とする。
【０００９】
また、本発明に係る浸透フィルター構造の第２の構成は、前記第１の構成において、前記第１の直管が前記雨水貯留浸透施設の底版に貫通された貫通穴に嵌挿された場合には、前記浸透フィルターの外側面を前記雨水貯留浸透施設内を流れる雨水の流れ方向と平行に配置したことを特徴とする。
【００１０】
また、本発明に係る浸透フィルター構造の第３の構成は、前記第１の構成において、前記第１の直管が前記雨水貯留浸透施設の側壁に貫通された貫通穴に嵌挿された場合には、前記浸透フィルターの外側面を略水平に配置したことを特徴とする。
【発明の効果】
【００１１】
本発明に係る浸透フィルター構造の第１の構成によれば、第１の直管と第２の直管とによりＴ字状管を構成し、浸透マンホール、浸透ボックスカルバート、浸透枡、浸透トレンチ管等の雨水貯留浸透施設の底版に貫通された貫通穴に該Ｔ字状管の第１の直管が嵌挿された場合には、浸透フィルターの外側面が略鉛直方向に配置され、該貫通穴へ向かう雨水の流れ方向と平行になるため雨水の流れにより浸透フィルターの外側面が洗浄され、目詰まりが解消される。また、第１の直管の高さ分だけ浸透フィルターが底版よりも高い位置に配置されるので、底版上に堆積した固形物が浸透フィルターに侵入することを防止して浸透能力を長期的に維持することが出来る。
【００１２】
また、雨水貯留浸透施設の側壁に貫通された貫通穴に該Ｔ字状管の第１の直管が嵌挿された場合には、浸透フィルターの外側面が該貫通穴へ向かう雨水の流れ方向と平行になるため雨水の流れにより浸透フィルターの外側面が洗浄され、目詰まりが解消される。
【００１３】
また、本発明に係る浸透フィルター構造の第２の構成によれば、第１の直管が雨水貯留浸透施設の底版に貫通された貫通穴に嵌挿され、浸透フィルターの外側面を雨水貯留浸透施設内を流れる雨水の流れ方向と平行に配置したことで雨水の流れにより浸透フィルターの外側面が洗浄され、目詰まりが解消される。
【００１４】
また、本発明に係る浸透フィルター構造の第３の構成によれば、第１の直管が雨水貯留浸透施設の側壁に貫通された貫通穴に嵌挿され、浸透フィルターの外側面を略水平に配置したことで、雨水貯留浸透施設内に貯留された雨水の水位が上下に変動する際の水の上昇力により浸透フィルターの外側面が洗浄され、目詰まりが解消される。
【図面の簡単な説明】
【００１５】
【図１】（ａ）は（ｃ）のａ−ａ断面図であり、本発明に係る浸透フィルター構造を備えた浸透マンホールの第１実施形態の構成を示す断面説明図、（ｂ）は（ｃ）のｂ−ｂ断面図であり、（ｃ）は本発明に係る浸透フィルター構造を備えた浸透マンホールの第１実施形態の構成を示す平面説明図である。
【図２】（ａ）は（ｂ）のａ−ａ断面図であり、本発明に係る浸透フィルター構造を備えた浸透マンホールの第２実施形態の構成を示す断面説明図、（ｂ）は本発明に係る浸透フィルター構造を備えた浸透マンホールの第２実施形態の構成を示す平面説明図である。
【図３】（ａ）は（ｃ）のａ−ａ断面図であり、本発明に係る浸透フィルター構造を備えた浸透マンホールの第３実施形態の構成を示す断面説明図、（ｂ）は（ｃ）のｂ部の部分断面図であり、浸透フィルター構造を構成するＴ字状管の部位での断面説明図、（ｃ）は本発明に係る浸透フィルター構造を備えた浸透マンホールの第３実施形態の構成を示す平面説明図である。
【図４】本発明に係る浸透フィルター構造を備えた浸透マンホールの第４実施形態の構成を示す断面説明図である。
【図５】（ａ），（ｂ）は底版に浸透フィルター構造を有するＴ字状管を複数並列に配置した場合の本発明に係る浸透フィルター構造を備えた浸透マンホールの第５実施形態の構成を示す断面説明図及び平面説明図である。
【発明を実施するための形態】
【００１６】
図により本発明に係る浸透フィルター構造の一例として浸透マンホールの直壁管の側壁または底版に設けた貫通穴に取り付けられた浸透フィルター構造の一実施形態を具体的に説明する。
【実施例１】
【００１７】
先ず、図１を用いて本発明に係る浸透フィルター構造を備えた浸透マンホールの第１実施形態の構成について説明する。図１において、１は雨水を貯留し地盤２に浸透させる雨水貯留浸透施設の一例である浸透マンホールであり、地盤２を開削して透水シート３を敷設した後、該透水シート３上に単粒度砕石４が敷設され、該単粒度砕石４の上に組立式マンホールの底版５が載置される。透水シート３は地盤２からの土砂が単粒度砕石４内に流入することを防止する。
【００１８】
底版５の略中央部には単粒度砕石４に通じる貫通穴５ａが形成されており、該貫通穴５ａに浸透フィルター構造を有するＴ字状管６の第１の直管６ａがＯリング等のシール部材を介して嵌挿されている。
【００１９】
Ｔ字状管６の第２の直管６ｂはその軸方向の中間部で第１の直管６ａに連通され、該第１の直管６ａの軸方向に対してその軸方向が交差して配置される。第２の直管６ｂの上部は鋼板などにより保護することで、上部からの雨水に含まれる石等の落下により上部が破損しないように構成することが出来る。
【００２０】
図１（ｃ）に示すように、Ｔ字状管６の第１の直管６ａが浸透マンホール１の底版５に貫通された貫通穴５ａに嵌挿された場合には、第２の直管６ｂの両端部に設けられた浸透フィルター７の外側面７ａを浸透マンホール１内を流れる雨水の流れ方向ｆと平行に配置される。
【００２１】
底版５の上部には直壁管８が載置され、該直壁管８には排水管11が接続されている。
【００２２】
尚、Ｏリング等のシール部材を介してＴ字状管６の第１の直管６ａを貫通穴５ａに嵌挿した構成であれば、浸透フィルター構造を有するＴ字状管６を着脱可能な構成とすることが出来、メンテナンス時にＴ字状管６を底版５から取り外して交換或いはメンテナンスが容易に出来る。
【００２３】
また、Ｔ字状管６の第１の直管６ａを貫通穴５ａに嵌挿した後、コンクリートやモルタルにて固定することも出来、該Ｔ字状管６の第２の直管６ｂの両端部に設けられる浸透フィルター７を着脱可能な構成とすることによりメンテナンス時に浸透フィルター７を第２の直管６ｂから取り外して交換或いはメンテナンスが容易に出来る。浸透フィルター７は浸透穴を設けたフィルター枠内に透水性のマットエレメントを収容しており、該フィルター枠を取り外してマットエレメントを取り出して交換或いはメンテナンスが出来る。
【００２４】
直壁管８の上部には斜壁管10が載置され、該斜壁管10の上部には調整リング12、高さ調整モルタル13、マンホール蓋及びマンホール蓋受けリング14を有している。
【００２５】
尚、本実施形態では、雨水が貯留される雨水貯留浸透施設の一例として浸透マンホール１にＴ字状管６からなる浸透フィルター構造を適用した場合の一例について説明したが、他の雨水貯留浸透施設の一例としては、雨水を貯留し地盤に浸透させる浸透ボックスカルバート、浸透枡、浸透トレンチ管等の底版（または底部）に貫通された貫通穴に上記Ｔ字状管６の第１の直管６ａを嵌挿した浸透フィルター構造として構成することも出来る。
【００２６】
上記構成によれば、第１の直管６ａと第２の直管６ｂとによりＴ字状管６を構成し、浸透マンホール１、浸透ボックスカルバート、浸透枡、浸透トレンチ管等の雨水貯留浸透施設の底版５（または底部）に貫通された貫通穴５ａに該Ｔ字状管６の第１の直管６ａが嵌挿された場合には、浸透フィルター７の外側面７ａが略鉛直方向に配置され、該貫通穴５ａへ向かう雨水の流れ方向（図１（ａ），（ｂ）の上から下への方向）と平行になるため浸透フィルター７を通過する雨水の流速を遅くすることが出来、雨水の流れにより浸透フィルター７の外側面７ａが洗浄され、目詰まりが解消される。また、第１の直管６ａの高さ分だけ浸透フィルター７が底版５よりも高い位置に配置されるので、底版５上に堆積した固形物15が浸透フィルター７に侵入することを防止して浸透能力を長期的に維持することが出来る。
【００２７】
また、第１の直管６ａが雨水貯留浸透施設の底版５に貫通された貫通穴５ａに嵌挿され、浸透フィルター７の外側面７ａを雨水貯留浸透施設内を流れる雨水の流れ方向ｆと平行に配置したことで雨水の流れにより浸透フィルター７の外側面７ａが洗浄され、目詰まりが解消される。
【００２８】
また、第２の直管６ｂの両端部に浸透フィルター７が設けられるので大きなフィルター面積が確保でき、通水能力も増加して浸透能力が増加し、浸透フィルター７のメンテナンス期間の延長が可能となる。
【実施例２】
【００２９】
次に、図２を用いて本発明に係る浸透フィルター構造を備えた浸透マンホールの第２実施形態の構成について説明する。尚、前記第１実施形態と同様に構成したものは同一の符号を付して説明を省略する。図２において、底版５の上部に直壁管８が３段載置され、該直壁管８の下２段のそれぞれの側壁でステップ９を避けた位置には単粒度砕石４に通じる貫通穴８ａが形成されており、該貫通穴８ａに浸透フィルター構造を有するＴ字状管６の第１の直管６ａがＯリング等のシール部材を介して嵌挿されている。最上部の直壁管８の周囲には浸透施設となる単粒度砕石４、透水シート３が設けられておらず、その直壁管８には排水管11が接続されている。底版５の貫通穴５ａ内部には浸透フィルター７が挿入されている。
【００３０】
図２（ａ）に示すように、Ｔ字状管６の第１の直管６ａが浸透マンホール１の直壁管８の側壁に貫通された貫通穴８ａに嵌挿された場合には、浸透フィルター７の外側面７ａを略水平に配置する。浸透フィルター７の外側面７ａは浸透マンホール１内に貯留される最高水位ＷＬよりも低い位置に配置することが好ましい。
【００３１】
尚、Ｏリング等のシール部材を介してＴ字状管６の第１の直管６ａを貫通穴８ａに嵌挿した構成であれば、浸透フィルター構造を有するＴ字状管６を着脱可能な構成とすることが出来、メンテナンス時にＴ字状管６を直壁管８の側壁から取り外して交換或いはメンテナンスが容易に出来る。
【００３２】
また、Ｔ字状管６の第１の直管６ａを貫通穴８ａに嵌挿した後、コンクリートやモルタルにて固定することも出来、該Ｔ字状管６の第２の直管６ｂの両端部に設けられる浸透フィルター７を着脱可能な構成とすることによりメンテナンス時に浸透フィルター７を第２の直管６ｂから取り外して交換或いはメンテナンスが容易に出来る。浸透フィルター７は浸透穴を設けたフィルター枠内に透水性のマットエレメントを収容しており、該フィルター枠を取り外してマットエレメントを取り出して交換或いはメンテナンスが出来る。
【００３３】
尚、本実施形態では、雨水が貯留される雨水貯留浸透施設の一例として浸透マンホール１にＴ字状管６からなる浸透フィルター構造を適用した場合の一例について説明したが、他の雨水貯留浸透施設の一例としては、雨水を貯留し地盤に浸透させる浸透ボックスカルバート、浸透枡、浸透トレンチ管等の側壁（または側部）に貫通された貫通穴に上記Ｔ字状管６の第１の直管６ａを嵌挿した浸透フィルター構造として構成することも出来る。
【００３４】
また、雨水貯留浸透施設の側壁に貫通された貫通穴８ａに該Ｔ字状管６の第１の直管６ａが嵌挿された場合には、浸透フィルター７の外側面７ａが該貫通穴８ａへ向かう雨水の流れ方向ｆと平行になるため雨水の流れにより浸透フィルター７の外側面７ａが洗浄され、目詰まりが解消される。
【００３５】
また、第１の直管６ａが雨水貯留浸透施設の側壁に貫通された貫通穴８ａに嵌挿され、浸透フィルター７の外側面７ａを略水平に配置したことで、雨水貯留浸透施設内に貯留された雨水の水位ＷＬが上下に変動する際の水の上昇力により浸透フィルター７の外側面７ａが洗浄され、目詰まりが解消される。他の構成は前記第１実施形態と同様に構成され、同様の効果を得ることができる。
【実施例３】
【００３６】
図３に示す第３実施形態は、前記第１実施形態のように底版５に設けた貫通穴５ａにＴ字状管６の第１の直管６ａを嵌挿すると共に、前記第２実施形態のように直壁管８の側壁に設けた貫通穴８ａにＴ字状管６の第１の直管６ａを嵌挿したものである。このような構成により浸透フィルター７の外側面７ａの総面積を大きく確保することができ、雨水の浸透量を多く確保できる。その他は前述した第１、第２実施形態と同様な効果を得ることができる。
【実施例４】
【００３７】
図４に示す第４実施形態は、前記第３実施形態において、底版５に設けた複数の貫通穴５ａに第１の直管６ａの高さが異なる複数のＴ字状管６を嵌挿したものである。尚、他の実施形態として共通の第１の直管６ａの高さが異なる位置となる上端部と中間部とにそれぞれ連通された第２の直管６ｂを複数設けて構成することもできる。このような構成とすることにより前記第３実施形態と比較して水位ＷＬが低い場合にも高さが低いＴ字状管６の浸透フィルター７から周囲の地盤２に雨水を浸透させることができる。
【実施例５】
【００３８】
図５（ａ），（ｂ）は底版５に浸透フィルター構造を有するＴ字状管６を複数並列に配置した場合の第５実施形態の構成を示す図であり、図５（ａ）の場合は底版５に３つの貫通穴５ａを開けてそれぞれの貫通穴５ａに３つのＴ字状管６のそれぞれの第１の直管６ａを嵌挿したものであり、図５（ｂ）の場合は底版５に大径の貫通穴５ａを開けて１つの貫通穴５ａに３つのＴ字状管６のそれぞれの第１の直管６ａを挿入し、貫通穴５ａと各第１の直管６ａとの隙間をコンクリートやモルタルにて固定したものである。尚、底版５や直壁管８の側壁に設けるＴ字状管６の個数や配置位置は前記各実施形態に限定される必要はない。
【産業上の利用可能性】
【００３９】
本発明の活用例として、雨水を貯留し地盤に浸透させる浸透マンホール、浸透ボックスカルバート、浸透枡、浸透トレンチ管等の雨水貯留浸透施設の浸透フィルター構造に適用できる。
【符号の説明】
【００４０】
ｆ…雨水の流れ方向
ＷＬ…雨水の水位
１    …浸透マンホール
２    …地盤
３    …透水シート
４    …単粒度砕石
５    …底版
５ａ  …貫通穴
６    …Ｔ字状管
６ａ  …第１の直管
６ｂ  …第２の直管
７    …浸透フィルター
７ａ  …外側面
８    …直壁管
８ａ  …貫通穴
９    …ステップ
10    …斜壁管
11    …排水管
12…調整リング
13 …高さ調整モルタル
14    …マンホール蓋及びマンホール受けリング
15    …固形物
【図１】
2011012432.tif 000003
【図２】
2011012432.tif 000004
【図３】
2011012432.tif 000005
【図４】
2011012432.tif 000006
【図５】
2011012432.tif 000007